(57)【要約】      （修正有）【課題】円滑、確実な給紙を行えるとともに給紙ローラと捌き部材とによる用紙捌き動作に伴う振動に起因する振動音の発生を抑制できる給紙機構を提供する。【解決手段】給紙機構12Aは、捌き部材122と、これに当接される給紙ローラ121とを含み、積み重ねられた用紙Sを両者の間で捌きつつ給紙ローラで供給する。給紙機構は給紙ローラを支持する給紙ローラ支持体124に保持されて給紙ローラ121による用紙搬送方向に延びる用紙ガイド板126と、ガイド板126を給紙ローラ支持体124による保持部分以外の少なくとも一部で給紙ローラ支持体124に連結する連結機構SAを含んでいる。連結機構SAは用紙ガイド板126を給紙ローラ支持体124に対して可動に連結する連結機構であり、用紙ガイド板126の給紙ローラ支持体124に連結される部分128と給紙ローラ支持体124との間に介装されるクッション部材Ksを含んでいる。【選択図】図２
2011230893.tif 000002
【特許請求の範囲】
【請求項１】
捌き部材と、該捌き部材に当接される給紙ローラとを含み、積み重ねられた用紙を該給紙ローラと該捌き部材との間で捌きつつ該給紙ローラで供給する給紙機構であり、前記給紙ローラを支持する給紙ローラ支持体に保持されて該給紙ローラによる用紙搬送方向に延びる用紙ガイド板と、該用紙ガイド板を前記給紙ローラ支持体による保持部分以外の少なくとも一部で該給紙ローラ支持体に連結する連結機構を含んでおり、該連結機構は前記用紙ガイド板を前記給紙ローラ支持体に対して可動に連結する連結機構であり、前記用紙ガイド板の前記給紙ローラ支持体に連結される部分と該給紙ローラ支持体との間に介装されるクッション部材を含んでいることを特徴とする給紙機構。
【請求項２】
前記用紙ガイド板は前記給紙ローラによる用紙搬送方向における上流側端部で前記給紙ローラ支持体に片持ち支持されて該給紙ローラの方へ延在しており、前記連結機構は該用紙ガイド板の該片持ち支持部分以外の自由部分の少なくとも一部を前記給紙ローラ支持体に連結している請求項１記載の給紙機構。
【請求項３】
前記クッション部材は前記用紙ガイド板の前記給紙ローラ支持体に連結される部分の該給紙ローラ支持体に対する接近離隔動作方向における初期位置を規制している請求項１又は２記載の給紙機構。
【請求項４】
前記連結機構は前記用紙ガイド板の前記給紙ローラ支持体による支持部分と前記給紙ローラとの間に設けられている請求項１、２又は３記載の給紙機構。
【請求項５】
前記連結機構は、前記給紙ローラ支持体に形成された孔に遊嵌、貫通して該孔に臨む前記用紙ガイド板の給紙ローラ支持体に連結される部分に螺合された段ねじを含んでおり、前記クッション材は該給紙ローラ支持体と該用紙ガイド板部分との間に介装されている請求項１から４のいずれか１項に記載の給紙機構。
【請求項６】
重ねられた用紙群から給紙機構により用紙を供給して画像形成部を通る画像形成パスに通過させることで該用紙に画像形成することができる画像形成装置であり、該給紙機構として請求項１から５のいずれか１項に記載の給紙機構が採用されていることを特徴とする画像形成装置。
【発明の詳細な説明】
【技術分野】
【０００１】
本発明は、積み重ねられた紙シート等（以下、「用紙」と総称する。）から用紙を供給する給紙機構、特に捌き部材と、該捌き部材に当接される給紙ローラとを含み、積み重ねられた用紙を該給紙ローラと該捌き部材との間で捌きつつ該給紙ローラで供給する給紙機構に関する。
【背景技術】
【０００２】
この種の給紙機構は様々な分野で採用されており、例えば、複写機、プリンタ、ファクシミリ機、これらのうち２以上を組み合わせた複合機等の画像形成装置において、用紙供給カセット等に積載収容された用紙群から給紙する場合に用いられている。
【０００３】
この種の給紙機構については、給紙ローラと捌き部材とによる用紙捌き動作に伴って所謂スティックスリップが発生し、それにより微振動が発生し、これが給紙ローラ支持体等に伝わって振動音が発生することがある。
【０００４】
この点、特開２００３−１５５１２９号公報には、スプリングで押し上げられる底板上に積載収容された用紙をピックアップローラ（給紙ローラ）で拾って給紙する際にスティックスリップにより発生する振動音を防止する方法として、ピックアロプローラの回転軸に対して該回転軸の振動を吸収、抑制する規制手段を設けることが記載されている。
【先行技術文献】
【特許文献】
【０００５】
【特許文献１】特開２００３−１５５１２９号公報
【発明の概要】
【発明が解決しようとする課題】
【０００６】
捌き部材と、捌き部材に当接される給紙ローラとを含み、積み重ねられた用紙を給紙ローラと捌き部材との間で捌きつつ給紙ローラで供給する給紙機構については上記の如き振動音発生の問題があるが、そのほか、積み重ねられた用紙群における用紙の反り等により給紙動作に支障がでることがある。
【０００７】
本発明者等はこの問題解決のために、給紙ローラを支持する給紙ローラ支持体に保持されて該給紙ローラによる用紙搬送方向に延びる用紙ガイド板を設けることを試みている。
【０００８】
しかしながら、このような用紙ガイド板を給紙ローラ支持体に保持させると、前記用紙サバキ動作に伴うスティックスリップによる振動が給紙ローラ支持体だけでなく用紙ガイド板にも伝わり、全体として大きい振動音が発生するようになる。この騒音は、前記特開２００３−１５５１２９号公報記載の振動抑制方法だけでは抑制困難である。
【０００９】
そこで本発明は、捌き部材と、該捌き部材に臨む給紙ローラとを含み、積み重ねられた用紙を該給紙ローラと該捌き部材との間で捌きつつ該給紙ローラで供給する給紙機構であって、用紙に少しぐらいの反り、波うち等の変形等があっても、それに拘らず円滑、確実な給紙を行うことができるとともに、給紙ローラと捌き部材とによる用紙捌き動作に伴う振動に起因する騒音発生を抑制できる給紙機構を提供することを第１の課題とする。
【００１０】
また本発明は、重ねられた用紙群から給紙機構により用紙を供給して画像形成部を通る画像形成パスに通過させることで該用紙に画像形成することができ、該給紙機構が捌き部材と、該捌き部材に臨む給紙ローラとを含み、積み重ねられた用紙を該給紙ローラと該捌き部材との間で捌きつつ該給紙ローラで供給する給紙機構である画像形成装置であって、該給紙機構からの給紙の際、用紙に少しぐらいの反り、波うち等の変形等があっても、それに拘らず円滑、確実な給紙を行うことができるとともに、給紙ローラと捌き部材とによる用紙捌き動作に伴う振動に起因する騒音発生を抑制でき、それだけ円滑に給紙しつつ騒音少なく画像形成できる画像形成装置を提供することを第２の課題とする。
【課題を解決するための手段】
【００１１】
本発明は前記第１の課題を解決するため、
捌き部材と、該捌き部材に当接される給紙ローラとを含み、積み重ねられた用紙を該給紙ローラと該捌き部材との間で捌きつつ該給紙ローラで供給する給紙機構であり、前記給紙ローラを支持する給紙ローラ支持体に保持されて該給紙ローラによる用紙搬送方向に延びる用紙ガイド板と、該用紙ガイド板を前記給紙ローラ支持体による保持部分以外の少なくとも一部で該給紙ローラ支持体に連結する連結機構を含んでおり、該連結機構は前記用紙ガイド板を前記給紙ローラ支持体に対して可動に連結する連結機構であり、前記用紙ガイド板の前記給紙ローラ支持体に連結される部分と該給紙ローラ支持体との間に介装されるクッション部材を含んでいる給紙機構を提供する。
【００１２】
本発明に係る用紙搬送機構によると、給紙ローラ支持体に給紙ローラによる用紙搬送方向に延びる用紙ガイド板を保持させてあるから、用紙に少しぐらいの反り、波うち等の変形等があっても、それに拘らず円滑、確実な給紙を行うことができる。
【００１３】
また、用紙ガイド板を前記給紙ローラ支持体による保持部分以外の少なくとも一部で該給紙ローラ支持体に連結する連結機構を設けてあり、該連結機構は前記用紙ガイド板を前記給紙ローラ支持体に対して可動に連結しているので、用紙ガイド板が徒に自由に動くことなく、また、用紙ガイド板に少しぐらいの反りや捩じれが生じることがあっても、これを可動範囲で逃がして給紙を行える。
【００１４】
さらに、該連結機構は、前記用紙ガイド板の前記給紙ローラ支持体に連結される部分と該給紙ローラ支持体との間に介装されるクッション部材を含んでいるので、給紙ローラと捌き部材とによる用紙捌き動作に伴う振動の少なくとも一部を該クッション部材で吸収して振動に起因する騒音発生を抑制できる。
なお、連結機構は、用紙ガイド板が給紙ローラ支持体に対して徒に動かないように予め定めた範囲内での動きを許容するものでもよい。
【００１５】
前記用紙ガイド板の前記給紙ローラ支持体による保持部分は、用紙ガイド板に求められる機能を実現させ得るのであれば特に制限はないが、用紙ガイド板の動きを拘束し過ぎずに円滑に用紙ガイドを行える例として、用紙ガイド板は前記給紙ローラによる用紙搬送方向における上流側端部で前記給紙ローラ支持体に片持ち支持されて該給紙ローラの方へ延在する場合を挙げることができる。
【００１６】
前記クッション部材は前記用紙ガイド板の前記給紙ローラ支持体に連結される部分の該給紙ローラ支持体に対する接近離隔動作方向における初期位置（未だ給紙に供していないときの位置）を規制するものでもよい。
【００１７】
この場合、用紙ガイド板が給紙ローラ支持体に保持されている状態で、用紙ガイド板自身の弾性復元力等により給紙ローラ支持体へ接近するように付勢される用紙ガイド板部分があるときには、該部分と給紙ローラ支持体との間に予め圧縮させたクッション部材を介装しておくことで、用紙ガイド板が給紙ローラ支持体に対して位置規制される例を挙げることができる。
【００１８】
このほか、クッション部材が用紙ガイド板の給紙ローラ支持体に連結される部分に接着材等で接続されるとともに給紙ローラ支持体にも接着材等で接続されることで、用紙ガイド板が給紙ローラ支持体に対して位置規制されるなどしてもよい。
【００１９】
前記連結機構は、例えば、前記用紙ガイド板の前記給紙ローラ支持体による支持部分と前記給紙ローラとの間に設けることができる。
【００２０】
前記連結機構は、簡単な例として、前記給紙ローラ支持体に形成された孔に遊嵌、貫通して該孔に臨む前記用紙ガイド板の給紙ローラ支持体に連結される部分に螺合された段ねじを含んでおり、前記クッション部材は該給紙ローラ支持体と該用紙ガイド板部分との間に介装されているものを挙げることができる。
【００２１】
本発明は前記第２の課題を解決するため、重ねられた用紙群から給紙機構により用紙を供給して画像形成部を通る画像形成パスに通過させることで該用紙に画像形成することができる画像形成装置であり、該給紙機構として本発明に係る給紙機構が採用されている画像形成装置も提供する。
【００２２】
この画像形成装置によると、給紙機構として本発明に係る給紙機構が採用されているから、該給紙機構からの給紙の際、用紙に少しぐらいの反り、波うち等の変形等があっても、それに拘らず円滑、確実な給紙を行うことができるとともに、給紙ローラと捌き部材とによる用紙捌き動作に伴う振動に起因する騒音発生を抑制でき、それだけ円滑に給紙しつつ騒音少なく画像形成できる。
【発明の効果】
【００２３】
以上説明したように本発明によると、捌き部材と、該捌き部材に臨む給紙ローラとを含み、積み重ねられた用紙を該給紙ローラと該捌き部材との間で捌きつつ該給紙ローラで供給する給紙機構であって、用紙に少しぐらいの反り、波うち等の変形等があっても、それに拘らず円滑、確実な給紙を行うことができるとともに、給紙ローラと捌き部材とによる用紙捌き動作に伴う振動に起因する騒音発生を抑制できる給紙機構を提供することができる。
【００２４】
また本発明によると、重ねられた用紙群から給紙機構により用紙を供給して画像形成部を通る画像形成パスに通過させることで該用紙に画像形成することができ、該給紙機構が捌き部材と、該捌き部材に臨む給紙ローラとを含み、積み重ねられた用紙を該給紙ローラと該捌き部材との間で捌きつつ該給紙ローラで供給する給紙機構である画像形成装置であって、該給紙機構からの給紙の際、用紙に少しぐらいの反り、波うち等の変形等があっても、それに拘らず円滑、確実な給紙を行うことができるとともに、給紙ローラと捌き部材とによる用紙捌き動作に伴う振動に起因する騒音発生を抑制でき、それだけ円滑に給紙しつつ騒音少なく画像形成できる画像形成装置を提供することができる。
【図面の簡単な説明】
【００２５】
【図１】本発明に係る画像形成装置の１例の構成の概略を示す図である。
【図２】本発明に係る給紙機構例を示す図である。
【図３】図２の給紙機構を上方からみて、各部の位置関係を示す図である。
【発明を実施するための形態】
【００２６】
図１に本発明に係る画像形成装置の１例であるタンデム型カラープンタを示す。
なお、本発明に係る画像形成装置はタンデム型カラープリンタに限定されるものではなく、所謂サイクル型（例えば４サイクル型）カラー画像形成装置、モノクロ画像形成装置にも適用でき、プリンタのほか、複写機、ファクシミリ機、これらのうち２以上を組み合わせた複合機等にも適用できる。
【００２７】
図１に示すプリンタ１０は、画像形成部１１、画像形成部下方の用紙供給部１２、画像形成パス１３を有している。画像形成部１１は図示省略のベルト駆動部により回転駆動され駆動ローラｄ１と対向ローラｄ２に巻き掛けられて図中反時計方向αに回転駆動可能の中間転写ベルト１１１を含んでおり、該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【００２８】
各色担当の画像形成ユニットは、図示省略の画像読み取り装置からの画像情報や、図示省略の外部コンピュータや外部ファクシミリ機等から送信されてくる画像情報に基づいて、電子写真方式により感光体ＰＣ上に担当色画像に対応する静電潜像を形成し、該潜像を担当色トナーで現像してトナー像を形成し、これを図示省略の電源から１次転写バイアスが印加される１次転写ローラｔｒでベルト１１１上に１次転写することができる。
【００２９】
画像形成ユニットを用いて画像形成するにあたっては、四つの画像形成ユニットのうちいずれか一つを用いてモノクロトナー像を形成することもできるし、二つ以上の画像形成ユニットを用いてカラー画像を形成することもできる。二つ以上の画像形成ユニットを用いる場合には、それら画像形成ユニットで形成される各色トナー像はベルト１１１上で重ねられるタイミングでベルト１１１に１次転写される。
【００３０】
画像形成部１１はさらに、中間転写ベルト１１１の回転方向においてブラック画像形成ユニットＫの下流側で該ベルトに臨む２次転写ローラＴＲ及びその上方に配置された定着装置１１３も含んでいる。
【００３１】
前記のようにベルト１１１上に１次転写されるトナー像は、図示省略の電源から２次転写バイアスが印加される２次転写ローラＴＲにより、画像形成パス１３に沿って搬送されてくる用紙Ｓに２次転写される。
【００３２】
画像形成すべき用紙は次に説明する用紙供給部１２から供給される。用紙供給部１２から供給されてくる用紙は画像形成パス１３の入口に位置するレジストローラ１３１に突き当てられて一旦停止され、画像形成部１３において用紙の所定位置に画像形成が可能になるタイミングでレジストローラ１３１により画像形成パス１３へ送り込まれる。
【００３３】
このようにして用紙に２次転写されたトナー像は、定着装置１１３により加熱加圧下に定着され、用紙とともに排出トレイＴへ排出される。
【００３４】
用紙供給部１２についてさらに説明する。
用紙供給部１２は、この例では、プリンタ本体側に設けられた給紙機構１２Ａを含んでおり、この給紙機構１２Ａに臨むカセット受入れ部に給紙カセット１２０を取り出し可能に装着して給紙するものである。
【００３５】
給紙カセット１２０に予め積載収容された用紙Ｓはカセット１２０をプリンタ本体に装着することで上方から後述するスプリングＳｐ（図３参照）の作用で下りてきて用紙Ｓに接触するピックアップローラ１２３により拾われ、給紙ローラ１２１の方へ送られる。このとき、給紙ローラ支持体１２４に保持された用紙ガイド板１２６により案内される。
【００３６】
給紙ローラ１２１は、ピックアップローラ１２３により拾われ送られてくる、通常複数枚が重なった状態の用紙を捌きローラ１２２との間で捌きつつ１枚ずつ給紙する。捌きローラ１２２はプリンタ本体側のフレーム１２２ｆに回転可能に支持されている。
ここでは捌き部材として給紙ローラとは反対方向に回転駆動される、表面層が摩擦部材で形成された捌きローラが採用されているが、給紙ローラに臨む板状の捌き板等でもよい。
【００３７】
給紙機構１２Ａについて、図２及び図３も参照してさらに説明する。
給紙ローラ１２１は板体を加工して形成された給紙ローラ支持体１２４に軸１２１ａで支持されている。軸１２１ａは支持体１２４に回転可能に支持されている。給紙ローラ支持体１２４は、上方から見ると図３に示すように一部に開口１２４ｈを有している。給紙ローラ１２１はここから一部が見える位置に配置されている。
【００３８】
給紙ローラ軸１２１ａは支持体１２４の外側まで延び、プリンタ本体のフレームＦに回転可能に支持されている。給紙ローラ１２１は軸１２１ａが駆動モータＭで駆動されることで、図２において反時計方向に回転駆動される。
捌きローラ１２２は図示省略の伝動機構を介してモータＭにて図２中反時計方向に回転駆動される。
【００３９】
ピックアップローラ１２３は、給紙ローラ１２１による用紙搬送方向においてローラ１２１の上流側でピックアップローラ支持体１２５に回転可能に支持されている。支持体１２５は給紙ローラ支持体１２４に支持されている。
ピックアップローラ１２３は伝動機構１３０により給紙ローラ１２１の回転に連動して給紙ローラ１２１と同方向に回される。
【００４０】
用紙ガイド板１２６は給紙ローラ支持体１２４の下側に配置されており、その後端部１２６ｅが上方へ曲げられて、給紙ローラ支持体１２４に螺子１２４ａで固定されている。  このようにして用紙ガイド板１２６はその後端部１２６ｅで給紙ローラ支持体１２４に保持されている。なお、用紙ガイド板１２６はヒンジで回動可能に支持体１２４に連結されてもよい。
【００４１】
用紙ガイド板１２６はその後端部から給紙ローラ１２１の方へ延び、給紙ローラ１２１を若干こえる位置まで延在している。用紙ガイド板１２６には、図３に示すように開口１２６ｈが形成されており、ピックアップローラ１２３及び給紙ローラ１２１はこの開口１２６ｈから給紙カセット１２０に積載収容された用紙Ｓに接触することができる。
【００４２】
用紙ガイド板１２６はその後端部１２６ｅと給紙ローラ１２１との間で連結機構ＳＡにより給紙ローラ支持体１２４に連結されている。連結機構ＳＡは、用紙ガイド板１２６を給紙ローラ支持体１２４に対して予め定めた範囲内で可動に連結する機構である。
用紙ガイド板１２６はそれに立設された板状柱１２７を有しており、板状柱１２７はその頂部に螺子孔を形成した棚部１２８を有している。
【００４３】
連結機構ＳＡは、棚部１２８を有する板状柱１２７と、棚部１２８に臨む給紙ローラ支持体１２４の部分に形成された孔１２４１に遊嵌貫通された頭付きの段ねじＳｃと、給紙ローラ支持体１２４と棚部１２８の間にやや圧縮状態で介装されたクッション部材Ｋｓとを含んでいる。
【００４４】
段ねじＳｃは、頭下の大径部Ｓｕ及びその下の細径の雄ねじ部Ｓｄを含んでおり、頭部は給紙ローラ支持体１２４の上方に位置し、大径部Ｓｕは給紙ローラ支持体１２４の孔１２４１に遊間貫通しており、雄ねじ部Ｓｄは前記用紙ガイド板側の棚部１２８に螺着している。この状態で棚部１２８と給紙ローラ支持体１２４との間に隙間があるが、ここにクッション部材Ｋｓがやや圧縮状態で介装されている。クッション部材Ｋｓは、棚部１２８の給紙ローラ支持体１２４に対する接近離隔方向の初期位置、すなわち給紙機構１２Ａが給紙に供されていないときの当初位置を規制している。
【００４５】
図３に示すように、前記給紙ローラ軸１２１ａの給紙ローラ支持体１２４の外へ突出した端部に巻きスプリングＳｐが嵌められている。スプリングＳｐは、ピックアップローラ１２３をプリンタ本体に装着された給紙カセット１２０の用紙Ｓに接触させるために、給紙ローラ支持体１２４を軸１２１ａを中心に下方へ付勢するものである。図２を参照して言えば、α方向に下方へ付勢するものである。
【００４６】
しかし、図３に概略的に示してあるように、給紙カセット１２０がプリンタ本体に未だ装着されていな状態では、プリンタ本体側に設けられて図示省略のバネで付勢されたレバーＬが給紙ローラ支持体１２４を軸１２１ａを中心に上方へ持ち上げている。給紙カセット１２０をプリンタ本体に装着すると、カセット１２０がこのレバーＬに触れ、該レバーによる支持体１２４の持ち上げを解除し、ピックアップローラ１２３がスプリングＳｐ力で用紙Ｓに接触する。
【００４７】
以上説明した給紙機構１２Ａによると、給紙ローラ支持体１２４に給紙ローラ１２１による用紙搬送方向に延びる用紙ガイド板１２６を保持させてあるから、用紙Ｓに少しぐらいの反り、波うち等の変形等があっても、それに拘らず円滑、確実な給紙を行うことができる。
【００４８】
また、用紙ガイド板１２６を給紙ローラ支持体１２４に連結する連結機構ＳＡを設けてあり、連結機構ＳＡは用紙ガイド板１２６を給紙ローラ支持体１２４に対して予め定めた範囲内で可動に連結しているので、用紙ガイド板１２６が徒に自由に動くことなく、また、用紙ガイド板１２６に少しぐらいの反りや捩じれが生じることがあっても、これを可動範囲で逃がして給紙を行える。
【００４９】
さらに、連結機構ＳＡは、用紙ガイド板１２６の給紙ローラ支持体１２４に連結される棚部１２８と給紙ローラ支持体１２４との間に介装されるクッション部材Ｋｓを含んでいるので、給紙ローラ１２１と捌きローラ１２２とによる用紙捌き動作に伴う振動の少なくとも一部をクッション部材Ｋｓで吸収して振動に起因する騒音発生を抑制できる。
【００５０】
用紙ガイド板１２６はその後端部１２６ｅで給紙ローラ支持体１２４に保持されて給紙ローラ１２１の方へ延在しているので、用紙ガイド板１２６の動きを拘束し過ぎずに円滑に用紙ガイドを行える。
【産業上の利用可能性】
【００５１】
本発明は、用紙に少しぐらいの反り、波うち等の変形等があっても、それに拘らず円滑、確実な給紙を行うことができるとともに、給紙ローラと捌き部材とによる用紙捌き動作に伴う振動に起因する騒音発生を抑制できる給紙機構及びそれを利用した画像形成装置を提供することに利用できる。
【符号の説明】
【００５２】
１０      プリンタ
１１      画像形成部
１２      用紙供給部
１３      画像形成パス
１３１    レジストローラ
１１３    定着装置
Ｔ        排出トレイ
１２Ａ    給紙機構
１２１    給紙ローラ
１２１ａ  給紙ローラ軸
１２２    捌きローラ
１２２ｆ  捌きローラ支持フレーム
１２３    ピックアップローラ
１２４    給紙ローラ支持体
１２４１  段ねじ通し孔
１２５    ピックアップローラ支持体
１２６    用紙ガイド板
１２７    板状柱
１２８    棚部
１２０    給紙カセット
ＳＡ      連結機構
Ｓｐ      スプリング
Ｌ        レバー
Ｓｃ      段ねじ
Ｓｕ      大径部
Ｓｄ      雄ねじ部
Ｋｓ      クッション部材
Ｍ        モータ
【図１】
2011230893.tif 000003
【図２】
2011230893.tif 000004
【図３】
2011230893.tif 000005
【手続補正書】
【提出日】平成23年2月14日(2011.2.14)
【手続補正１】
【補正対象書類名】明細書
【補正対象項目名】００１２
【補正方法】変更
【補正の内容】
【００１２】
本発明に係る給紙機構によると、給紙ローラ支持体に給紙ローラによる用紙搬送方向に延びる用紙ガイド板を保持させてあるから、用紙に少しぐらいの反り、波うち等の変形等があっても、そのような変形等に拘らず円滑、確実な給紙を行うことができる。
【手続補正２】
【補正対象書類名】明細書
【補正対象項目名】００２７
【補正方法】変更
【補正の内容】
【００２７】
図１に示すプリンタ１０は、画像形成部１１、画像形成部下方の用紙供給部１２、画像形成パス１３を有している。画像形成部１１は図示省略のベルト駆動部により回転駆動される駆動ローラｄ１と対向ローラｄ２に巻き掛けられて図中反時計方向αに回転駆動可能の中間転写ベルト１１１を含んでおり、該ベルトに沿ってベルト走行方向にイエロー画像形成ユニットＹ、マゼンタ画像形成ユニットＭ、シアン画像形成ユニットＣ及びブラック画像形成ユニットＫがこの順序で配置されている。
【手続補正３】
【補正対象書類名】明細書
【補正対象項目名】００３０
【補正方法】変更
【補正の内容】
【００３０】
画像形成部１１はさらに、中間転写ベルト１１１の回転方向においてブラック画像形成ユニットＫの下流側で該ベルトに臨む２次転写ローラ１１２及びその上方に配置された定着装置１１３も含んでいる。
【手続補正４】
【補正対象書類名】明細書
【補正対象項目名】００３１
【補正方法】変更
【補正の内容】
【００３１】
前記のようにベルト１１１上に１次転写されるトナー像は、画像形成パス１３に沿って搬送されてくる用紙Ｓに図示省略の電源から２次転写バイアスが印加される２次転写ローラ１１２により２次転写される。